(57)【要約】【課題】ＤＶテープ再生装置にＩＥＥＥ１３９４シリアルデータバスを介して接続され、ＤＶテープ再生装置のコンテンツの頭出し動作を制御するＤＶテープ頭出し制御装置において、ＤＶテープ再生装置が頭出し機能をサポートしていない場合であっても、コンテンツの頭出しが行えるようにする。【解決手段】ＤＶテープ頭出し制御装置２０は、ＤＶテープ再生装置１０からＩＥＥＥ１３９４シリアルデータバス３０を介して入力されたデジタル信号のタイムコードの連続性に基づいてコンテンツの変わり目を検出し、ＤＶテープ再生装置１０の頭出し動作を制御するため、ＤＶテープ再生装置１０が頭出し機能をサポートしていない場合であっても、コンテンツの頭出しが行える。【選択図】　　　　図１
0003097409.tif 000002
【実用新案登録請求の範囲】
【請求項１】
ＤＶテープに記録されているデジタル信号のコンテンツを再生するＤＶテープ再生装置に、ＩＥＥＥ１３９４シリアルデータバスを介して接続され、ユーザによるコンテンツの頭出し録画操作に基づいて前記再生装置にコマンドを出力して、コンテンツの頭出し再生動作を制御し、該頭出し再生動作により頭出しされたコンテンツを記録媒体に録画するＤＶテープ頭出し制御装置であって、
前記再生装置の再生又は早送り／巻き戻し（ＦＦ／ＲＥＷ）動作時に該再生装置から入力されたデジタル信号のタイムコードを取得するタイムコード取得手段と、
前記取得したタイムコードを記憶するタイムコード記憶手段と、
前記記憶されたタイムコードと、前記再生装置から新たに入力されたデジタル信号のタイムコードを比較して、これらのタイムコードに連続性があるかどうか判断することにより、前記コンテンツの変わり目を検出する変わり目検出手段と、
ユーザによるコンテンツの頭出し録画操作に基づいて前記再生装置にＦＦ／ＲＥＷコマンドを出力し、前記ＤＶテープのＦＦ／ＲＥＷ動作を開始させ、前記変わり目検出手段によりコンテンツの変わり目が検出されたときに、該再生装置に停止コマンドを出力してＦＦ／ＲＥＷ動作を停止させる頭出し制御手段と、
前記再生装置に再生コマンドを出力して前記頭出しされたコンテンツの再生動作を開始させる頭出し再生制御手段と、
前記頭出し再生されたコンテンツを前記記録媒体に記録する頭出し録画手段とを備えたことを特徴とするＤＶテープ頭出し制御装置。
【請求項２】
ＤＶテープに記録されているデジタル信号のコンテンツを再生するＤＶテープ再生装置に、ＩＥＥＥ１３９４シリアルデータバスを介して接続され、ユーザによるコンテンツの頭出し操作に基づいて前記再生装置にコマンドを出力して、コンテンツの頭出し動作を制御するＤＶテープ頭出し制御装置であって、
前記再生装置の再生又はＦＦ／ＲＥＷ動作時に該再生装置から入力されたデジタル信号のタイムコードを取得するタイムコード取得手段と、
前記取得したタイムコードを記憶するタイムコード記憶手段と、
前記記憶されたタイムコードと、前記再生装置から新たに入力されたデジタル信号のタイムコードを比較して、これらのタイムコードに連続性があるかどうか判断することにより、前記コンテンツの変わり目を検出する変わり目検出手段と、
ユーザによるコンテンツの頭出し操作に基づいて前記再生装置にＦＦ／ＲＥＷコマンドを出力し、前記ＤＶテープのＦＦ／ＲＥＷ動作を開始させ、前記変わり目検出手段によりコンテンツの変わり目が検出されたときに、該再生装置に停止コマンドを出力してＦＦ／ＲＥＷ動作を停止させる頭出し制御手段とを備えたことを特徴とするＤＶテープ頭出し制御装置。
【請求項３】
前記再生装置に再生コマンドを出力して、前記頭出し制御手段により頭出しされたコンテンツの再生動作を開始させる頭出し再生制御手段を、さらに備えたこと特徴とする請求項２に記載のＤＶテープ頭出し制御装置。
【請求項４】
コンテンツの頭出し、頭出し再生、又は頭出し録画の際のＦＦ／ＲＥＷ動作によるＤＶテープのオーバーランを補償するために、ＤＶテープ再生装置に、ＤＶテープを該オーバーランと逆方向に走行させることにより、前記変わり目検出手段により検出されたコンテンツの変わり目までＤＶテープを走行させるオーバーラン補償手段を、さらに備えたことを特徴とする請求項１乃至請求項３のいずれかに記載のＤＶテープ頭出し制御装置。
【考案の詳細な説明】
【０００１】
【考案の属する技術分野】
本考案は、デジタルインターフェースを有する電子機器に関するものであり、特に、ＩＥＥＥ１３９４シリアルデータバスを介してＤＶテープ再生装置に接続される電子機器におけるＤＶテープの頭出し制御に関するものである。
【０００２】
【従来の技術】
従来から、ＤＶテープ再生装置にＩＥＥＥ１３９４ケーブルを介して接続され、ユーザによる操作に基づいてＤＶテープ再生装置にコマンドを出力し、その動作を制御するＤＶＤレコーダ等の電子機器が知られている。このような電子機器においては、ＤＶテープ再生装置の頭出し動作を制御できるようにコマンドが用意されているが、頭出し制御の前提としてＤＶテープ再生装置が頭出し機能をサポートしていることが必要となる。
【０００３】
一方、テープ再生装置にＩＥＥＥ１３９４シリアルデータバスを介してテープ再生装置を制御する制御装置を接続した電子機器システムであって、テープ再生装置本体を操作して頭出しする場合と、ＩＥＥＥ１３９４プロトコルを用いて頭出しする場合の操作の違いをなくし、頭出し機能の使い勝手を向上したシステムが知られている（例えば、特許文献１参照）。また、再生側のＶＣＲ（ｖｉｄｅｏｃａｓｓｅｔｔｅ　ｒｅｃｏｒｄｅｒ）と記録側のＶＣＲをＩＥＥＥ１３９４ケーブルで接続した装置であって、再生側のＶＣＲで再生されたデジタル信号を記録側のＶＣＲでダビングする際に、デジタル信号に含まれるサブコード信号からコンテンツの変わり目を検出し、頭出しインデックス信号を生成してＡＶデータと共に記録する装置が知られている（例えば、特許文献２参照）。
【０００４】
【特許文献１】
特開２００１−４３５８４号公報
【特許文献２】
特開平１１−１４４３７５号公報
【０００５】
【考案が解決しようとする課題】
しかし、特許文献１に記載の電子機器においては、ＶＩＳＳ（ＶＨＳ　Ｉｎｄｅｘ　Ｓｅａｒｃｈ　Ｓｙｓｔｅｍ）信号を利用して頭出しを行うため、ＶＩＳＳサーチ機能をサポートしていない再生装置については、頭出しをすることができない。また、特許文献２に記載の装置については、再生側機器が頭出し機能をサポートしていなくても、記録側機器はデジタル信号に含まれるサブコード信号を利用して、コンテンツの変わり目を検出することができるが、記録側機器で再生側機器の頭出しを制御するものではない。
【０００６】
本考案は、上述した問題点を解決するためになされたものであり、頭出し機能をサポートしていないＤＶテープ再生装置にＩＥＥＥ１３９４シリアルデータバスを介して接続された場合であっても、ＤＶテープ再生装置を制御して、頭出し、頭出し再生又は頭出し録画できるＤＶテープ頭出し制御装置を提供することを目的とする。
【０００７】
【課題を解決するための手段】
上記目的を達成するために請求項１の考案は、ＤＶテープに記録されているデジタル信号のコンテンツを再生するＤＶテープ再生装置に、ＩＥＥＥ１３９４シリアルデータバスを介して接続され、ユーザによるコンテンツの頭出し録画操作に基づいて前記再生装置にコマンドを出力して、コンテンツの頭出し再生動作を制御し、該頭出し再生動作により頭出しされたコンテンツを記録媒体に録画するＤＶテープ頭出し制御装置であって、前記再生装置の再生又はＦＦ／ＲＥＷ動作時に該再生装置から入力されたデジタル信号のタイムコードを取得するタイムコード取得手段と、前記取得したタイムコードを記憶するタイムコード記憶手段と、前記記憶されたタイムコードと、前記再生装置から新たに入力されたデジタル信号のタイムコードを比較して、これらのタイムコードに連続性があるかどうか判断することにより、前記コンテンツの変わり目を検出する変わり目検出手段と、ユーザによるコンテンツの頭出し録画操作に基づいて前記再生装置にＦＦ／ＲＥＷコマンドを出力し、前記ＤＶテープのＦＦ／ＲＥＷ動作を開始させ、前記変わり目検出手段によりコンテンツの変わり目が検出されたときに、該再生装置に停止コマンドを出力してＦＦ／ＲＥＷ動作を停止させる頭出し制御手段と、前記再生装置に再生コマンドを出力して前記頭出しされたコンテンツの再生動作を開始させる頭出し再生制御手段と、前記頭出し再生されたコンテンツを前記記録媒体に記録する頭出し録画手段とを備えたものである。
【０００８】
この構成においては、ＤＶテープに記録されたデジタル信号に含まれるタイムコードが、コンテンツの変わり目で連続性を有しないことを利用することにより、コンテンツの変わり目を検出し、ＤＶテープ再生装置の動作を制御してＤＶテープに記録されたコンテンツの頭出し再生を行い、さらに頭出し再生されたコンテンツを記録媒体に録画する。
【０００９】
請求項２の考案は、ＤＶテープに記録されているデジタル信号のコンテンツを再生するＤＶテープ再生装置に、ＩＥＥＥ１３９４シリアルデータバスを介して接続され、ユーザによるコンテンツの頭出し操作に基づいて前記再生装置にコマンドを出力して、コンテンツの頭出し動作を制御するＤＶテープ頭出し制御装置であって、前記再生装置の再生又はＦＦ／ＲＥＷ動作時に該再生装置から入力されたデジタル信号のタイムコードを取得するタイムコード取得手段と、前記取得したタイムコードを記憶するタイムコード記憶手段と、前記記憶されたタイムコードと、前記再生装置から新たに入力されたデジタル信号のタイムコードを比較して、これらのタイムコードに連続性があるかどうか判断することにより、前記コンテンツの変わり目を検出する変わり目検出手段と、ユーザによるコンテンツの頭出し操作に基づいて前記再生装置にＦＦ／ＲＥＷコマンドを出力し、前記ＤＶテープのＦＦ／ＲＥＷ動作を開始させ、前記変わり目検出手段によりコンテンツの変わり目が検出されたときに、該再生装置に停止コマンドを出力してＦＦ／ＲＥＷ動作を停止させる頭出し制御手段とを備えたものである。
【００１０】
この構成においては、コンテンツの変わり目でタイムコードが連続性を有しないことを利用することにより、コンテンツの変わり目を検出し、ＤＶテープ再生装置の動作を制御してＤＶテープに記録されたコンテンツの頭出しを行う。
【００１１】
請求項３の考案は、請求項２に記載のＤＶテープ頭出し制御装置において、前記再生装置に再生コマンドを出力して、前記頭出し制御手段により頭出しされたコンテンツの再生動作を開始させる頭出し再生制御手段を、さらに備えたものである。
【００１２】
この構成においては、ＤＶテープ再生装置の再生動作を制御して、デジタル信号のタイムコードに基づいて頭出しされたコンテンツの頭出し再生を行う。
【００１３】
請求項４の考案は、請求項１乃至請求項３のいずれかに記載のＤＶテープ頭出し制御装置において、コンテンツの頭出し、頭出し再生、又は頭出し録画の際のＦＦ／ＲＥＷ動作によるＤＶテープのオーバーランを補償するために、ＤＶテープ再生装置に、ＤＶテープを該オーバーランと逆方向に走行させることにより、前記変わり目検出手段により検出されたコンテンツの変わり目までＤＶテープを走行させるオーバーラン補償手段を、さらに備えたものである。
【００１４】
この構成においては、ＤＶテープ再生装置から入力されたデジタル信号のタイムコードに基づいてコンテンツの変わり目を検出してからＤＶテープ再生装置に停止コマンドを出力するため、ＤＶテープ再生装置がＦＦ／ＲＥＷ動作を停止したときには、検出された変わり目をオーバーランしていることになるが、オーバーランと逆方向にＤＶテープを走行させることにより、オーバーランを補償することができる。
【００１５】
【考案の実施の形態】
本考案の第１の実施形態によるＤＶテープ頭出し制御装置について図１乃至図５を参照して説明する。図１はＤＶテープ頭出し制御装置を含むＤＶテープ頭出し制御システムを示すブロック図である。ＤＶテープ頭出し制御システム１は、ＤＶテープ再生装置（以下、再生装置という）１０と、これにＩＥＥＥ１３９４ケーブル３０を介して接続されたＤＶテープ頭出し制御装置（以下、制御装置という）２０により構成されている。
【００１６】
再生装置１０は、ＤＶテープを再生、早送り／巻き戻しする再生部１１と、再生装置１０の動作を制御する再生装置制御部１２と、制御装置２０にデジタル信号を送信又は制御装置２０から送信されたコマンドを受信する送受信部１３とを備えている。再生装置１０は、制御装置２０からＩＥＥＥ１３９４ケーブル３０を介して入力されたコマンドに基づいてＤＶテープの再生、早送り／巻き戻し等の動作を行う。なお、再生装置１０は、ＤＶテープの再生、早送り／巻き戻し機能等の一般的な機能を有していればよく、既存の装置を使用することができる。
【００１７】
制御装置２０は、デジタル信号を受信又は再生装置１０にコマンドを送信する送受信部２５と、再生装置１０の再生又はＦＦ／ＲＥＷ動作時に、再生装置１０から入力されたデジタル信号のタイムコードを取得するタイムコード取得部（タイムコード取得手段）２２と、取得したタイムコードを記憶する記憶部（タイムコード記憶手段）２３と、タイムコードに基づきコンテンツの変わり目を検出して再生装置１０にコマンドを出力し、再生装置１０のＤＶテープの頭出し又は頭出し再生動作を制御し、制御装置２０の頭出し録画動作を制御する頭出し制御装置制御部２１（変わり目検出手段、頭出し制御手段、頭出し再生制御手段、頭出し録画手段）と、頭出しされたコンテンツを録画する記録媒体２４とを備えている。
【００１８】
次に、ＤＶテープに記録されているコンテンツのタイムコードについて図２を参照して説明する。ＤＶテープに記録されたデジタル信号には、コンテンツごとに記録開始時から記録終了時までの連続した時間を示すタイムコードが付けられている。図２はＤＶテープに記録されているデジタル信号のコンテンツを模式的に示した図である。ＤＶテープには、Ａ点から記録が開始（ＲＥＣ）され、Ｂ点で記録を終了（ＳＴＯＰ）したコンテンツＣ１と、Ｂ’点から記録が開始され、Ｃ点で記録を終了したコンテンツＣ２と、Ｃ’点から記録が開始されたコンテンツＣ３とが記録されている。コンテンツＣ１ではＡ点の”０：００：００”からＢ点の”０：０４：２３”まで連続的にタイムコードが増加しており、コンテンツＣ２ではＢ’点の”０：００：００”からＣ点の”０：０３：１１”まで連続的にタイムコードが増加している。一方、コンテンツＣ１とコンテンツＣ２の間（Ｂ／Ｂ’点）では、タイムコードはＢ点の”０：０４：２３”からＢ’点の”０：００：００”となり、連続性を有しないこととなる。本考案においては、コンテンツ間でのタイムコードの不連続性を利用してコンテンツの変わり目を検出する。なお、図２は後述する第２の実施形態においても参照される。ａ点及びｂ点についてはそこで説明する。
【００１９】
次に、本実施形態にかかるＤＶテープ頭出し制御装置２０の頭出し制御動作について、図３に示すフローチャートを参照して説明する。ユーザにより頭出し操作が行われると、制御装置２０は、再生装置１０から入力されたデジタル信号についてタイムコードを取得し（＃１）、取得したタイムコードを記憶部２３に記憶する（＃２）。そして、ＦＦ／ＲＥＷコマンドを再生装置１０に出力し（＃３）、再生装置１０は入力されたＦＦ／ＲＥＷコマンドに基づいてＦＦ／ＲＥＷ動作を開始する（＃２１）。さらに、制御装置２０は、再生装置１０のＦＦ／ＲＥＷ動作により入力されてくるデジタル信号についてタイムコードを取得し（＃４）、記憶部２３に記憶されているタイムコードと＃４で新たに取得したタイムコードを比較して、これらのタイムコードに連続性があるか判断する（＃５）。タイムコードに連続性があると判断されたときは（＃５でＹＥＳ）、記憶部２３に記憶されているタイムコードを＃４で新たに取得したタイムコードに更新し（＃６）、連続性のないタイムコードが検出されるまで（＃５でＮＯ）、＃４から＃６までの動作が繰り返される。そして、連続性のないタイムコードが検出されると（＃５でＮＯ）、停止コマンドを再生装置１０に出力し（＃７）、再生装置１０がＦＦ／ＲＥＷ動作を停止することにより（＃２２）、ＤＶテープに記録されているコンテンツの頭出しをすることができる。従って、制御装置２０はＦＦ／ＲＥＷコマンド、停止コマンドを用いて再生装置１０の頭出し動作を制御できるため、再生装置１０が頭出し機能をサポートしていなくてもコンテンツの頭出しをすることができる。
【００２０】
ＤＶテープ頭出し制御装置２０の頭出し再生制御動作について、図４に示すフローチャートを参照して説明する。なお、上述した頭出し制御動作と重複する部分の説明は省略する。制御装置２０は、＃１から＃７によりコンテンツの頭出しが終了すると、再生コマンドを再生装置１０に出力して（＃８）、頭出しされたコンテンツの再生動作を開始させる（＃２３）。従って、制御装置２０はＦＦ／ＲＥＷコマンド、停止コマンド、再生コマンドを用いて再生装置１０の頭出し再生動作を制御できるため、再生装置１０が頭出し再生機能をサポートしていなくてもコンテンツの頭出し再生をすることができる。
【００２１】
ＤＶテープ頭出し制御装置２０の頭出し録画動作について、図５に示すフローチャートを参照して説明する。上述したように制御装置２０は、＃１から＃７により再生装置１０のコンテンツの頭出し動作を制御し、＃８により頭出し再生動作を制御してコンテンツの頭出し再生を開始させる（＃２３）。そして、頭出し再生されたコンテンツを記録媒体２４に記録することにより（＃９）、コンテンツの頭出し録画をすることができる。従って、制御装置２０はＦＦ／ＲＥＷコマンド、停止コマンド、再生コマンドを用いて再生装置１０の頭出し再生動作を制御できるため、再生装置１０が頭出し再生機能をサポートしていなくてもコンテンツの頭出し録画をすることができる。
【００２２】
次に、本考案の第２の実施形態について図２及び図６を参照して説明する。第２の実施形態のＤＶテープ頭出し制御装置２０は、コンテンツの頭出し、頭出し再生、又は頭出し録画の際のＦＦ／ＲＥＷ動作によるＤＶテープのオーバーランを補償する点で第１の実施形態と異なる。図２において、ユーザがａ点で頭出し操作を行いＢ’点の頭出しを行いたい場合、制御装置２０はＢ／Ｂ’点でコンテンツの変わり目を検出してから再生装置１０に停止コマンドを出力するため、再生装置１０がＦＦ／ＲＥＷ動作を停止したときには、ＤＶテープはＢ’点をオーバーランしてｂ点で停止することとなる。本実施形態では、ＦＦ／ＲＥＷ動作を停止した後に、ｂ点からＢ’点までＤＶテープを走行させてオーバーラン補償を行う（オーバーラン補償手段）ことにより、正確な頭出しを行う。なお、ＤＶテープ頭出し制御システム１の構成は実施形態１と同様である。
【００２３】
第２の実施形態によるＤＶテープ頭出し制御装置２０の頭出し録画動作について、図６に示すフローチャートを参照して説明する。なお、第１の実施形態の頭出し録画動作と重複する部分（＃１から＃７）の説明は省略する。制御装置２０は、再生装置１０のＦＦ／ＲＥＷ動作を停止させた後（＃７、＃２２）、低速ＦＦ／ＲＥＷコマンドを再生装置１０に出力して（＃１１）、オーバーラン量相当分、テープが戻されるまで（＃１２）、オーバーランと逆方向にテープを走行させる（＃３１）。そして、オーバーラン量相当分テープが戻されると（＃１２でＹＥＳ）、再生装置１０に停止コマンドを出力し（＃１３）、再生装置１０は低速ＦＦ／ＲＥＷ動作を停止する（＃３２）。さらに、制御装置２０は、再生コマンドを再生装置１０に出力することにより（＃１４）、再生装置１０の再生動作を開始させ（＃３３）、録画動作を開始することにより（＃１５）、頭出し録画を行う。
【００２４】
なお、本考案は上記実施形態の構成に限られることなく種々の変形が可能である。例えば、複数先にあるコンテンツを頭出しする場合は、コンテンツの変わり目ごとにＦＦ／ＲＥＷ動作を停止する必要はなく、ユーザが頭出し操作した回数を記憶部２３に記憶しておいて、コンテンツの変わり目がその回数検出されるまでＤＶテープを走行するようにしてもよい。また、オーバーラン補償手段は、オーバーラン量に応じてテープの走行速度を変えるようにしてもよい。
【００２５】
【考案の効果】
以上のように請求項１の考案によれば、ＤＶテープ再生装置から入力されたデジタル信号のタイムコードを利用してコンテンツの変わり目を検出し、ＤＶテープ再生装置の頭出し動作、頭出し再生動作の制御を行うので、ＤＶテープ再生装置が頭出し再生機能をサポートしていない場合であっても、ＤＶテープに記録されているコンテンツの頭出し録画が行える。
【００２６】
請求項２の考案によれば、デジタル信号のタイムコードを利用してコンテンツの変わり目を検出し、ＤＶテープ再生装置の頭出し動作の制御を行うので、ＤＶテープ再生装置が頭出し機能をサポートしていない場合であっても、ＤＶテープに記録されているコンテンツの頭出しが行える。
【００２７】
請求項３の考案によれば、ＤＶテープ再生装置の再生動作を制御して、デジタル信号のタイムコードに基づいて頭出しされたコンテンツの頭出し再生を行うので、ＤＶテープ再生装置が頭出し再生機能をサポートしていない場合であっても、ＤＶテープに記録されているコンテンツの頭出し再生が行える。
【００２８】
請求項４の考案によれば、頭出し、頭出し再生又は頭出し録画の際のオーバーランを補償することにより、コンテンツの変わり目で正確に頭出し、頭出し再生又は頭出し録画することができる。
【図面の簡単な説明】
【図１】本考案の第１の実施形態によるＤＶテープ頭出し制御装置を示すブロック図。
【図２】ＤＶテープに記録されたコンテンツのタイムコードを説明する図。
【図３】同制御装置の頭出し動作の一例を示すフローチャート。
【図４】同制御装置の頭出し再生動作の一例を示すフローチャート。
【図５】同制御装置の頭出し録画動作の一例を示すフローチャート。
【図６】本考案の第２の実施形態によるＤＶテープ頭出し制御装置の頭出し録画動作の一例を示すフローチャート。
【符号の説明】
１　　ＤＶテープ頭出し制御システム
１０　　ＤＶテープ再生装置
２０　　ＤＶテープ頭出し制御装置
２１　　頭出し制御装置制御部（変わり目検出手段、頭出し制御手段、頭出し再生制御手段、頭出し録画手段、オーバーラン補償手段）
２２　　タイムコード取得部（タイムコード取得手段）
２３　　記憶部（タイムコード記憶手段）
２４　　記録媒体
３０　　ＩＥＥＥ１３９４ケーブル（ＩＥＥＥ１３９４シリアルデータバス）
【図１】
0003097409.tif 000003
【図２】
0003097409.tif 000004
【図３】
0003097409.tif 000005
【図４】
0003097409.tif 000006
【図５】
0003097409.tif 000007
【図６】
0003097409.tif 000008